(57)【要約】  ガス及び液体の量、圧力等を制御し最適な状態でガスミストを生体の皮膚及び粘膜から吸収させることができるガスミスト圧浴システムを提供する。ガス供給手段１０と、液体を貯留する液体貯留部３２と、ガスを加圧供給するノズルとそのノズル先端に液体を送液する吸液管とを有しガスミストを生成するガスミスト生成手段３０と、生体の皮膚及び粘膜を覆いガスミスト生成手段３０から供給されたガスミストを内部に封入する空間を形成する生体カバー部材５０と、ガス、液体及びガスミストの供給状態を計測するセンサ７１、７２と、そのセンサ７１、７２の計測値に基づきガス、液体及びガスミストの供給制御を行う制御手段６０とを備え、ガスミスト生成手段３０がさらにノズルとは別途にガスミスト生成手段３０内にガスを供給するガス導入手段４２、４４を備え、ガスミストの供給圧を上げる。
2012002461.tif 000002
【特許請求の範囲】
【請求項１】
所定値以上の濃度の炭酸ガス、酸素又は炭酸ガスと酸素の混合ガス（以下、「ガス」という）と液体を粉砕溶解させたミスト（以下、「ガスミスト」という）を生体の皮膚又は粘膜に接触させるためのシステムであって、
ガス供給手段と、
該ガス供給手段と接続されると共に、液体を貯留する液体貯留部と、前記ガスを加圧供給するノズルと、該ノズル先端に前記液体を送液する吸液管と、を有し、ガスミストを生成するガスミスト生成手段と、
前記生体の皮膚及び粘膜を覆い、前記ガスミスト生成手段から供給されたガスミストを内部に封入する空間を形成する生体カバー部材と、
前記ガス、液体、及びガスミストの供給状態を計測するセンサと、
該センサの計測値に基づき前記ガス、液体、及びガスミストの供給制御を行う制御手段と、を備え、
前記ガスミスト生成手段は、さらに、前記ノズルとは別途に前記ガスミスト生成手段内にガスを供給するガス導入手段を備え、前記生体カバー部材へのガスミストの供給圧を上昇させることを特徴とするガスミスト圧浴システム。
【請求項２】
前記生体カバー部材には、当該生体カバー部材内の前記ガスミストの圧力を加圧するための加圧手段が接続されることを特徴とする請求項１に記載のガスミスト圧浴システム。
【請求項３】
前記加圧手段が、前記生体カバー部材と連設され、該生体カバー部材内にガスミストを排出可能な中空のガス溜を有することを特徴とする請求項２に記載のガスミスト圧浴システム。
【請求項４】
前記制御手段により、前記ガスミストを間歇的に前記生体カバー部材内に供給することによって、該生体カバー部材をインターバル加圧することを特徴とする請求項１に記載のガスミスト圧浴システム。
【請求項５】
前記加圧手段が、前記生体カバー部材内に間歇的にガスミストを排出することによって、該生体カバー部材をインターバル加圧することを特徴とする請求項３に記載のガスミスト圧浴システム。
【請求項６】
前記液体貯留部に液体を供給する液体供給手段をさらに備えることを特徴とする請求項１に記載のガスミスト圧浴システム。
【請求項７】
前記液体供給手段からの液体を加圧して前記ガスミスト生成手段に供給する液体加圧手段をさらに備えることを特徴とする請求項６に記載のガスミスト圧浴システム。
【請求項８】
前記液体は、水、イオン水、オゾン水、生理食塩水、精製水、又は滅菌精製水の何れか一つ又は複数の組み合わせであることを特徴とする請求項１又は６に記載のガスミスト圧浴システム。
【請求項９】
前記液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウム、高濃度炭酸泉剤、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、又は育毛剤のうち、何れか一つ又は複数をさらに含有することを特徴とする請求項８に記載のガスミスト圧浴システム。
【請求項１０】
前記ガスミスト生成手段から前記生体カバー部材内に供給される前記ミストの粒径が、１０μｍ以下であることを特徴とする請求項１に記載のガスミスト圧浴システム。
【請求項１１】
前記制御手段は、ガスミスト圧浴時における前記生体カバー部材内の圧力を１．０２乃至２．５気圧に保持することを特徴とする請求項１に記載のガスミスト圧浴システム。
【請求項１２】
前記ガスミスト生成手段が供給するミストに電荷を付与する電荷付与手段をさらに備えることを特徴とする請求項１に記載のガスミスト圧浴システム。
【請求項１３】
前記電荷が、マイナス電荷であることを特徴とする請求項１２に記載のガスミスト圧浴システム。
【請求項１４】
前記ガスミスト生成手段が、前記生体圧浴カバーへガスミストを供給するためのガスミスト供給管を有し、
該ガスミスト供給管が、管内に付着する液滴を除去するためのフィルターを備えることを特徴とする請求項１に記載のガスミスト圧浴システム。
【請求項１５】
前記ガスミスト生成手段が、前記生体圧浴カバーへガスミストを供給するためのガスミスト供給管を有し、
該ガスミスト供給管の全部又は一部がジャバラ状の管から構成されることを特徴とする請求項１に記載のガスミスト圧浴システム。
【請求項１６】
前記ガスミスト生成手段が、前記生体圧浴カバーへガスミストを供給するためのガスミスト供給管を有し、
該ガスミスト供給管に、逆止弁を設けることを特徴とする請求項１に記載のガスミスト圧浴システム。
【請求項１７】
前記生体カバー部材のガスミスト供給口に、逆止弁を設けることを特徴とする請求項１に記載のガスミスト圧浴システム。
【請求項１８】
前記制御手段は、前記生体カバー部材内の圧力値が所定値以上になった際は前記ガス供給手段からのガスの供給を停止することを特徴とする請求項１に記載のガスミスト圧浴システム。
【請求項１９】
前記ガスミスト生成手段が、予め滅菌処理されていることを特徴とする請求項１に記載のガスミスト圧浴システム。
【発明の詳細な説明】
【技術分野】
【０００１】
本発明は、炭酸ガス、酸素又は炭酸ガス及び酸素の混合ガスと薬剤を含む液体を粉砕溶解させたガスミストを、所定の圧力値以上で生体の皮膚又は粘膜に直接接触させることにより、皮膚又は粘膜からのガスミストの吸収効率を向上させるようにしたガスミスト圧浴システムに関する。
【背景技術】
【０００２】
従来から、炭酸ガス（二酸化炭素：ＣＯ２）は、水に溶けやすい（水溶性）だけでなく油にも溶けやすい（脂溶性）という二つの性質を併せ持つために、水と油の性質を併せ持つ生体の皮膚と粘膜に触れとその皮下に良く浸透し、浸透部位の血管を拡張させ、血液の循環を改善する生理作用があることが知られている。そしてこの炭酸ガスの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも広く注目を集めている。【０００３】
炭酸ガスは、さらに、生体の組織中で赤血球内のヘモグロビンに結合して運ばれた酸素を放出させる働きがある。炭酸ガス濃度の高いところでは、赤血球はより多くの酸素を放出する。このように、赤血球による細胞への酸素の供給は、主に炭酸ガスがコントロールしている。つまり、炭酸ガスなしでは、ヘモグロビンは酸素が結合したままの状態となり、細胞は酸素を受け取ることができなくなってしまう。このように、炭酸ガスは、細胞の活動の結果出てくる老廃物のように思われがちだが、実は体の中で非常に重要な役割を果たしている。【０００４】
また、昨今、高濃度酸素が新陳代謝の活性、血行促進、疲労回復、血圧の安定等に効果があることが広く知られるようになった。このほかに酸素は、酸化作用による殺菌、滅菌効果をも有している。【０００５】
炭酸ガスを生体に吸収させるための従来技術として、最も広く利用されているのは、（１）水中で炭酸ガスを発生する入浴剤である。この入浴剤は、浴槽内の湯中に投入すると入浴剤に含まれる炭素塩と酸が反応することにより炭酸ガスを発生させ、湯中に溶解させる。この湯中に溶解した炭酸ガスが入浴する人の皮膚に接触して皮下に浸透し、上記のような生理的効果を発揮する。【０００６】
さらに、炭酸ガスをより多く生体に接触させる従来技術として、（２）炭酸ガス入浴装置が知られている。これは、湯中に炭酸ガスを噴出、拡散させて、高濃度に溶解させる装置である。そして炭酸ガスが溶解した浴湯に入浴することにより、上記入浴剤と同様に炭酸ガスを直接皮膚に接触させる。【０００７】
また、（３）人体表面とともに密閉空間を形成するカバーを人体に装着し、その密閉空間内に炭酸ガス供給手段から炭酸ガスを導入して炭酸ガス浴を行う血行促進装置（例えば、特許文献１）もこれまでに開示されている。【０００８】
さらに、（４）炭酸ガス供給手段と、加圧手段と、人体の皮膚を覆い炭酸ガスを所定の圧力値以上で人体の皮膚に接触させるための被覆部材とを少なくとも備える炭酸ガス圧浴装置が、本発明者によりこれまでに提案されている。【０００９】
また、酸素を生体に吸収させるための従来技術としては、（５）高濃度酸素入浴装置が知られている。これは、炭酸ガス入浴装置同様、湯中に酸素を噴出、拡散させ、これに入浴することにより、酸素を直接皮膚に接触させる装置である。
【先行技術文献】
【特許文献】
【００１０】
【特許文献１】特開平０７−１７１１８９号公報
【発明の概要】
【発明が解決しようとする課題】
【００１１】
しかしながら、上記（１）、（２）及び（５）の従来技術は何れも入浴時において浴湯の中に炭酸ガスや酸素を溶け込ませ、生体の皮膚から炭酸ガスや酸素を吸収させようとするものである。そのため、入浴時にしか使用できないという難点があった。また、炭酸ガスは水に溶けやすい一方で水から発散しやすいため、浴湯に溶解させるために多量の炭酸ガスを消費しても、皮膚からの吸収率は決して高くないという問題もある。【００１２】
一方、上記（３）及び（４）の従来技術は、直接炭酸ガスを生体に接触させるため、（１）と（２）の従来技術と比較して効果が高く、効率も良い。しかし、被覆部材（カバー）内に導入する炭酸ガスや酸素の量、圧力、及びミストの量等を最適に制御することは、上記従来の装置では特になされていなかった。【００１３】
さらに、炭酸ガス又は酸素に薬剤を効率よく溶解させ、ガスに加えて薬剤の生理作用を生体に効果的に及ぼすことができる装置は、これまでになかった。【００１４】
本発明は、上記状況に鑑みて、ガス及び液体の量、圧力等を制御し最適な状態でガスミストを生体の皮膚又は粘膜から吸収させることができるガスミスト圧浴システムを提供することを目的とする。
【課題を解決するための手段】
【００１５】
本発明は、上記課題を解決するために、所定値以上の濃度の炭酸ガス、酸素又は炭酸ガスと酸素の混合ガス（以下、「ガス」という）と液体を粉砕溶解させたミスト（以下、「ガスミスト」という）を生体の皮膚又は粘膜に接触させるためのシステムであって、ガス供給手段と、該ガス供給手段と接続されると共に、液体を貯留する液体貯留部と、前記ガスを加圧供給するノズルと、該ノズル先端に前記液体を送液する吸液管と、を有し、ガスミストを生成するガスミスト生成手段と、前記生体の皮膚及び粘膜を覆い、前記ガスミスト生成手段から供給されたガスミストを内部に封入する空間を形成する生体カバー部材と、前記ガス、液体、及びガスミストの供給状態を計測するセンサと、該センサの計測値に基づき前記ガス、液体、及びガスミストの供給制御を行う制御手段と、を備え、前記ガスミスト生成手段は、さらに、前記ノズルとは別途に前記ガスミスト生成手段内にガスを供給するガス導入手段を備え、前記生体カバー部材へのガスミストの供給圧を上昇させることを特徴とするガスミスト圧浴システムを提供するものである。【００１６】
なお、本願においては、液体を粉砕し微細な液滴にして気体（炭酸ガス、又は酸素、又は炭酸ガスと酸素の混合ガス）と接触混合させることを、粉砕溶解という。【００１７】
ここで、本ガスミスト圧浴システムは、前記生体カバー部材内を加圧する加圧手段をさらに備えるようにしても良い。なお、この加圧手段は、前記生体カバー部材と連設され、その生体カバー部材内にガスミストを排出可能な中空のガス溜を有する。【００１８】
なお、前記制御手段により、前記ガスミストを間歇的に前記生体カバー部材内に供給することによって、その生体カバー部材をインターバル加圧するようにしても良い。あるいは、前記加圧手段が、前記生体カバー部材内に間歇的にガスミストを排出することによって、その生体カバー部材をインターバル加圧するようにしても良い。【００１９】
また、本発明のガスミスト圧浴システムは、前記液体貯留部に液体を供給する液体供給手段をさらに備えるのが好適である。さらに、前記液体供給手段からの液体を加圧して前記ガスミスト生成手段に供給する液体加圧手段を備えるようにしても良い。【００２０】
このとき、前記液体は、水、イオン水、オゾン水、生理食塩水、精製水、又は滅菌精製水の何れか一つ又は複数の組み合わせであるのが好ましい。さらに、前記液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウム、高濃度炭酸泉剤、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、又は育毛剤のうち、何れか一つ又は複数をさらに含有しても良い。【００２１】
なお、前記ガスミスト生成手段から前記生体カバー部材内に供給される前記ミストの粒径は、１０μｍ以下であるのが好ましい。【００２２】
また、前記制御手段は、ガスミスト圧浴時における前記生体カバー部材内の圧力を１．０２乃至２．５気圧に保持するのが好適である。【００２３】
そして、前記ガスミスト生成手段が供給するミストに電荷を付与する電荷付与手段をさらに備えるようにしても良い。このとき、前記電荷は、マイナス電荷であるのが好ましい。【００２４】
また、前記ガスミスト生成手段が、前記生体圧浴カバー内へガスミストを供給するためのガスミスト供給管を有し、このガスミスト供給管が、管内に付着する液滴を除去するためのフィルターを備えるようにするのが良い。さらにこのガスミスト供給管の全部又は一部は、ジャバラ状の管から構成されるのが好適である。また、このガスミスト供給管には、逆止弁を設けるのが良い。【００２５】
さらに、前記生体カバー部材のガスミスト供給口にも、逆止弁を設けるのが好ましい。【００２６】
なお、前記制御手段は、前記生体カバー部材内の圧力値が所定値以上になった際は前記ガス供給手段からのガスの供給を停止するのが好適である。【００２７】
また、前記ガスミスト生成手段は、予め滅菌処理されているのが好ましい。
【発明の効果】
【００２８】
本発明のガスミスト圧浴システムによれば、制御装置により生体圧浴カバー内のガスミストの量、圧力等を制御可能なため、常に最適な状態でガスミスト圧浴を行うことができる。【００２９】
また、非常に簡単な構成でガスミストを生成することが可能なため、装置の低コスト化を実現できる。【００３０】
さらに、生体圧浴カバー内の加圧が容易で、ガスの経皮吸収をより効率的に行うことが可能となる。
【図面の簡単な説明】
【００３１】
【図１】本発明の第１の実施形態に係るガスミスト圧浴システムの全体概略図である。
【図２】。本発明のガスミスト圧浴システムに係るガスミスト生成器の構造を示す断面模式図である。
【図３】図２に示すガスミスト生成器における生成器本体の一部破断斜視図である。
【図４】図２に示すガスミスト生成器における生成器本体の断面模式図である。
【図５】図２に示すガスミスト生成器における中間部材の斜視図である。
【図６】図２に示すガスミスト生成器における中間部材の上面図及び断面図である。
【図７】本発明のガスミスト生成器と生体圧浴カバーとを接続するガスミスト供給管の例を示す模式図である。
【図８】本発明の第１の実施形態に係るガスミスト圧浴システムにおける生体圧浴カバーの形状例（その１）を示す模式図である。
【図９】本発明の第１の実施形態に係るガスミスト圧浴システムにおける生体圧浴カバーの形状例（その２）を示す模式図である。
【図１０】本発明の第１の実施形態に係るガスミスト圧浴システムにおける生体圧浴カバーの形状例（その３）を示す模式図である。
【図１１】本発明の第２の実施形態に係るガスミスト圧浴システムの全体概略図である。
【図１２】本発明の第２の実施形態に係るガスミスト圧浴システムにおける生体圧浴カバーの形状例（その１）を示す模式図である。
【図１３】本発明の第２の実施形態に係るガスミスト圧浴システムにおける生体圧浴カバーの形状例（その２）を示す模式図である。
【図１４】本発明の第３の実施形態に係るガスミスト圧浴システムの全体概略図である。
【図１５】本発明の第４の実施形態に係るガスミスト圧浴システムの全体概略図である。
【発明を実施するための形態】
【００３２】
以下、本発明の実施の形態について、図面を参照しながら詳細に説明する。
【００３３】
〔第１の実施形態〕
図１は、本発明の第１の実施形態に係るガスミスト圧浴システムの全体概略図である。この図に示すように、本実施形態のガスミスト圧浴システムは、酸素、炭酸ガス、又は酸素と炭酸ガスの混合ガス（以下、単に「ガス」という）を供給するガス供給手段１０と、薬剤等の液体を供給する液体供給手段２０と、ガスミスト生成手段としてのガスミスト生成器３０と、供給されたガスミストを内部に封入する生体カバー手段としての生体圧浴カバー５０と、制御装置（制御手段）６０と、から構成される。
【００３４】
ガス供給手段１０は、後述するが、ガスミスト生成器３０のノズル３４及びガス供給部３９にガスを供給する。このガス供給手段１０には、図示しないがガスの圧力調整のためのレギュレータが設けられている。また、ガスを加温するためのヒータと温度制御のための温度計を配置しても良い。
【００３５】
なお、ここでは一つのガス供給手段１０でガスミスト生成器３０のノズル３４及びガス供給部３９の双方にガスを供給する例を図示したが、複数のガス供給手段１０を備えて、ノズル３４とガス供給部３９にそれぞれ別のガス供給手段１０からガスを供給するようにしても良い。このとき、供給するガスはそれぞれ異なっても同じものでも良い。
【００３６】
液体供給手段２０は、ポンプ等から構成され、ガスミスト生成器３０に液体を供給する。供給する液体としては、水、イオン水、オゾン水、生理食塩水、精製水、滅菌精製水を用いるのが好適である。さらに、これらの液体に使用者の疾患、症状等に有効な薬剤を含有させても良い。薬剤とは、例えば、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、育毛剤等が挙げられる。さらに、清涼作用のあるメンソールや、血行を促進させるビタミンＥ、皮膚組織に吸収されやすく美肌効果の高いビタミンＣ誘導体、皮膚の角化作用を正常にし粘膜を保護するレチノール、粘膜への刺激を和らげるための麻酔薬、臭気を除去するためのシクロデキストリン、殺菌、消炎効果のある光触媒、又は光触媒とアパタイトの複合体、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して、ガスの生理作用との相乗効果を生じさせることも可能である。あるいは、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウムを添加しても良い。さらに、炭酸塩と有機酸を主成分とする高濃度炭酸泉剤（有効成分の一例としては、硫酸塩、炭酸塩、有機酸、ジクロロイソシアヌル酸ナトリウム）を添加しても良い。
【００３７】
なお、この液体供給手段２０には、図示しないが液体を加温するためのヒータや温度制御のための温度計を配置するのが望ましい。
【００３８】
ガスミスト生成器３０は、内部に液体供給手段２０から供給された液体を貯留して、ガス供給手段１０から供給されるガスの高速流により、液体とガスを粉砕溶解したガスミストを生成し、これを生体圧浴カバー５０に供給する。図２は、ガスミスト生成器３０の構造を示す断面模式図である。図２に示すように、ガスミスト生成器３０は、生成器本体３１と、中間部材３８と、蓋部材４３とから構成されている。なお、このガスミスト生成器３０は、予め滅菌処理されているのが好適である。
【００３９】
生成器本体３１の詳細を図３及び図４に示す。図３は生成器本体３１の一部破断斜視図、図４は断面模式図である。これらの図に示すように、生成器本体３１は、液体を貯留する液体貯留部３２と、この液体貯留部３２に液体供給手段２０から液体を供給するための液体供給口３３と、ガス供給手段１０から供給されるガスを先端開口３４Ａから吐出するノズル３４と、液体貯留部３２に貯留された液体をノズル３４の先端まで吸い上げる吸液管３５Ａを構成する吸液管形成部材３５と、ノズル３４の先端開口３４Ａと対向する位置に設けられるバッフル３６とを備えている。
【００４０】
液体貯留部３２は、図３及び図４に示すように生成器本体３１の底部と側壁の一部、及び遮蔽板３２Ａにより仕切られて形成されている。この遮蔽板３２Ａは、液体貯留部３２内の圧力を遮蔽板３２Ａから上部の圧力よりも高く維持することによって、液体を吸液管３５Ａ上方に押し上げる作用を有する。このため、遮蔽板３２Ａは生成器本体３１の内壁の所定位置に固定的に配置されても良いが、液体貯留部３２の液面レベルに応じて上下に移動可能な構成にしても良い。また、ノズル３４の先端開口３４Ａから吐出するガス圧の大きさ次第では、遮蔽板３２Ａは無くても良い。
【００４１】
生成器本体３１（液体貯留部３２）の底側中央には、ノズル３４が設けられている。このノズル３４は、液体貯留部３２の底を貫通しており、生成器本体３１の上部に向かって絞られる略円錐筒状に形成されている。ノズル３４の基端は装置外でガス供給手段１０に接続され、その先端開口３４Ａからはガスを吐出することが可能である。ノズル３４の基端は、ガス供給手段１０と直接又はチューブ等を介して接続されるが、この接続部はワンタッチで接続可能なコネクタ等で構成されるのが望ましい。
【００４２】
吸液管３５Ａは、ノズル３４の外周面と、ノズル３４より一回り大きい略円錐筒状の吸液管形成部材３５の内周面との間に形成される。即ち、図４に示すように、ノズル３４に吸液管形成部材３５を被せるように配置することにより、ノズル３４の外周面と吸液管形成部材３５の内周面との間に吸液管３５Ａが形成される。このとき、図示は省略したが吸液管形成部材３５の基端には微小な爪状突起部が設けられているため、吸液管形成部材３５の基端と液体貯留部３２の底面には隙間が形成されており、この隙間から液体貯留部３２に貯留された液体が吸液管３５Ａによって吸い上げられる。また、吸液管形成部材３５の先端部３５Ｂは、ノズル３４の先端開口３４Ａの近傍で開口しており、ノズル３４から吐出されるガス流に、吸液管３５Ａが吸い上げた液体が突き当たるように構成されている。
【００４３】
バッフル３６は、ノズル３４の先端開口３４Ａ及び吸液管形成部材３５の先端部３５Ｂに対向する位置に配置される部材であり、ここでは吸液管形成部材３５に固定的に支持されている。バッフル３６はこのほか、遮蔽板３２Ａ、生成器本体３１の内側に固定支持される構成としても良い。なお、吸液管形成部材３５は、上下方向略中央部で遮蔽板３２Ａと連結されている。また、遮蔽板３２Ａもその外周で生成器本体３１内側と連結している。このように生成器本体３１は、全体が一体に形成されるのが好ましい。
【００４４】
中間部材３８は、生成器本体３１と蓋部材４３の中間部に位置し、生成器本体３１で生成されたガスミストを収集してガスミスト供給管４５へ排出すると共に、生成器本体３１内にガスを供給することで生体圧浴カバー５０へのガスミストの供給圧を上げるための部材である。中間部材３８の詳細を図５及び図６に示す。図５は中間部材３８の斜視図、図６（ａ）は中間部材３８の上面図、図６（ｂ）は図６（ａ）のＡ−Ａ線断面図である。
【００４５】
これらの図に示すように、中間部材３８は、ガスをガスミスト生成器３０内に供給するためのガス供給部３９と、ガスを生成器本体３１内に導入すると共に、ガスミストを排出する気流を作るガス導入部４１と、ガスミストを収集してガスミスト供給管４５へ排出するためのガスミスト収集部４２とを備えた、独楽のような形状の部材である。
【００４６】
ガス供給部３９は、ガス導入部４１に対して略垂直に接続する、水平方向に設けられた管状孔であり、ガス供給手段１０からのガスがここから中間部材３８を介して生成器本体３１内へ供給される。また、ガス導入部４１は、図２に示すようにガスミストの生成部（ノズル先端開口３４Ａと吸液管先端部３５Ｂ、及びバッフル３６）付近を覆うように延出する上下方向に配置された管状孔であり、ガスをガスミストの生成部に導くことによりガスミストを効率的に生成器本体３１内から排出させる。このように、ノズル３４とは別途にガスミスト生成器３０内にガスを導入するガス導入手段は、ガス供給部３９とガス導入部４１から構成されている。
【００４７】
一方、ガスミスト収集部４２は、ガス供給部３９及びガス導入部４１とは交わらない位置に上下方向に一つ又は複数（ここでは、例として四つ）設けられた管状孔であり、ガス導入部４１からガスミストの生成部へガスが導入されることにより生まれるガスミストの気流を、中間部材３８の上部に配置される蓋部材４３のガスミスト導出部４４へと導く。
【００４８】
中間部材３８の上部には、蓋部材４３が配置される。この蓋部材４３には、ガスミスト導出部４４が設けられており、このガスミスト導出部４４はガスミスト供給管４５に接続されている。
【００４９】
ガスミスト生成器３０で生成されたガスミストは、ガスミスト導出部４４に接続されたガスミスト供給管４５から生体圧浴カバー５０へ供給される。ガスミスト供給管４５は、ガスミスト生成器３０のガスミスト導出部４４と、生体圧浴カバー５０の供給口５１に接続されている。ガスミスト供給管４５には、図示しないが、管内に付着する余分な液滴を除去するための液滴除去フィルターを設けるようにしても良い。また、このガスミスト供給管４５の内部には、図示しないがガスミストの逆流を防止するための逆止弁を設けるようにする。
【００５０】
さらに、ガスミスト供給管４５は、その全部又は一部を図７に示すような管径の太い柔軟なジャバラ状の管４５Ａで構成すれば、自在に曲がり、伸縮させることもできるため、使用者の動きを制限することもない。また、ガスミスト供給管４５を流れるガスミストが次第に液化してもジャバラの凹凸部にその液体を取り除くことが可能となる。
【００５１】
なお、上記では液体貯留部３２内の液体を液体供給手段２０から供給する構成としたが、液体供給手段２０を省略して、液体貯留部３２に予め液体（薬剤等）が入った構成としても良い。この場合、使用前に液体を注入しても良いし、予め製造段階で液体が注入されたガスミスト生成器３０を用いても良い。このような予め液体が注入されたガスミスト生成器３０の場合、使用後はガスミスト生成器３０のみ取り外して廃棄することができる。このように使い捨てにすることで、衛生的かつ簡便にガスミスト圧浴を行うことが可能となる。
【００５２】
生体圧浴カバー５０は、生体（ここでは例として、人体の下肢）の皮膚及び粘膜を覆い、ガスミストを内部に封入する空間を形成できるカバーである。例として、図１では人体の下肢を覆うズボンのような形状を図示している。この生体圧浴カバー５０は、耐圧性、非通気性、非透湿性素材から構成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適である。
【００５３】
生体圧浴カバー５０は、ガスミスト供給管４５に接続され、ガスミストを内部に導入するための供給口５１を備えている。この供給口５１の内部には、ガスミストの逆流を防ぐための逆止弁が設けられている。また、生体圧浴カバー５０には、内部の圧力を調整するため、ガスミストを排出できる開口や弁を設けるようにしても良い。そして、これらの圧力調整は手動で行われても良いが、後述する圧力計７１の計測値に基づき、ガスやガスミストの供給制御と共に制御装置６０により自動的に行われるのが望ましい。また、生体圧浴カバー５０内が一定圧力以上になると自動的に弁が開く安全弁（逃し弁）を設けるようにしても良い。
【００５４】
生体圧浴カバー５０内には、その内部の圧力を計測するための圧力計７１が設置されている。制御装置６０は、生体圧浴カバー５０内の圧力値を１気圧以上（より好適には、１．０２〜２．５気圧）に保つため、この圧力計７１の計測値に基づき、ガスミストの生成、供給を制御する。例えば、ガス供給手段１０からのガスの供給を調整、停止したり、生体圧浴カバー５０からガスミストやガスを排出したりする。また、生体圧浴カバー５０の内部には生体圧浴カバー５０内の温度を計測するための温度計７２が設置されている。制御装置６０は、生体圧浴カバー５０内を温浴効果が得られる設定温度（例えば３８℃程度）に保つため、温度計７２の計測値に基づき液体供給手段２０に設けられたヒータのオン・オフ等を行う。
【００５５】
生体圧浴カバー５０の開口部には、生体（ここでは人体の下肢）への着脱を可能にすると共に内部に封入したガスミストの漏出を防ぐための止着部５２が設けられている。止着部５２は、例えば伸縮性のある面ファスナーにより構成されるのが好適である。あるいは、紐やゴム等を単独、又は組み合わせて用いても良い。さらに、生体圧浴カバー５０内の密閉性を高めるため、生体圧浴カバー５０の内側面（止着部５２の内側面等）に使用者の皮膚に粘着する素材を配置しても良い。この粘着素材は、例えばポリウレタンやシリコンゴム等からなる粘弾性ゲルであるのが好ましい。さらにこの粘着素材は取り外し可能に設けられ、使用の都度あるいは粘性が低くなれば交換できる構成とするのが良い。
【００５６】
制御装置６０は、ＣＰＵ、メモリ、ディスプレイを備えたコンピュータから構成される。そして、ガス供給手段１０から供給されるガスの圧力調整やオン・オフ切替、液体供給手段２０からの液体の供給圧調整や温度調整、供給のオン・オフ切替、ガスミストの供給のオン・オフ切替等々の各種制御を行い、最適な状態でガスミスト圧浴が行えるようにする。特に、生体圧浴カバー５０内の圧力値が所定値以上になった場合、制御装置６０によりガス供給手段１０のガス供給を停止するように構成するのが好適である。
【００５７】
次に、本実施形態のガスミスト圧浴システムを用いてガスミスト圧浴を行う手順の一例について説明する。
【００５８】
まず、生体圧浴カバー５０を生体（ここでは人体の下肢）に固定して密閉する。次に、ガスミスト生成器３０の液体貯留部３２に、液体供給手段２０から所定量の液体を注入し、次いで、ガス供給手段１０からガスミスト生成器３０にガスを供給する。
【００５９】
ガスがノズル３４に供給されると、ノズル３４は図４に示すように先端に向かって狭窄されているため、ガスは流速を増して吐出される。液体はこのときの気流により発生する負圧で吸液管３５Ａから吸い上げられ、吸液管３５Ａの先端部３５Ｂでガスに吹き上げられてバッフル３６に衝突し、ミストが生成される。この衝突によって生成されるミストの粒径は微細であることが望ましく、具体的には１０μｍ以下であるのが最適である。このように微細に粉砕されたミストは、マイナスイオンの効果を発揮することができる。ガスは、必要に応じて、さらにガス供給部３９及びガス導入部４１からも生成器本体３１内に供給されて、生成されたガスミストの排出圧を高くする。ガスミストを生成する間、制御装置６０は、液体及びガスの供給圧や量、温度等の調整を行う。
【００６０】
生成されたガスミストは、ガスミスト供給管４５から生体圧浴カバー５０に排出される。このとき、生体圧浴カバー５０内にはガスが約９５−９７％、液体が約３−５％の割合で存在するようにするのが好適である。ミスト中には約４０ｐｐｍの濃度でガスが溶解し、その気泡サイズが約２３２ｐｍ程度となるのが好ましい。制御装置６０は圧力計７１、温度計７２の計測値から、生体圧浴カバー５０内が最適な加圧、加温状態（約１．０２〜２．５気圧、約３８℃）に保たれるように各手段を調整し、この状態でガスミスト圧浴が行われる。
【００６１】
なお、上記ではガスミスト圧浴を行う生体の部位として、人体の下肢を例にとって説明したが、本発明は様々な部位に適用することができる。その場合、対象とする部位に合わせた形状の生体圧浴カバー５０を用いて最適なガスミスト圧浴を行うようにする。
【００６２】
図８乃至図１０に様々な生体圧浴カバー５０の形状の例を示す。まず、図８に人体の上半身用の生体圧浴カバー５０Ａの概略を示す。この生体圧浴カバー５０Ａは、上半身全体を覆い包む形状をしており、腰部の開口には着脱を可能にすると共に内部に封入したガスミストの漏出を防ぐための止着部５２Ａが設けられている。また、首部の開口にも同様に止着部５３Ａが設けられている。なお、５１Ａはガスミストを内部に導入するための供給口である。
【００６３】
図９は、生体のさらに局所的な部位を覆う生体圧浴カバー５０の形状の例を示している。図９（ａ）は、人体の片下肢（膝下部）用の生体圧浴カバー５０Ｂである。この生体圧浴カバー５０Ｂには、その開口部に止着部５２Ｂが設けられると共に、ガスミストを内部に導入するための供給口５１Ｂが設けられている。図９（ｂ）は、人体の足部用の生体圧浴カバー５０Ｃである。この生体圧浴カバー５０Ｃには、その開口部に止着部５２Ｃが設けられると共に、ガスミストを内部に導入するための供給口５１Ｃが設けられている。図９（ｃ）は、人体の前腕用の生体圧浴カバー５０Ｄである。この生体圧浴カバー５０Ｄには、その開口部に止着部５２Ｄが設けられると共に、ガスミストを内部に導入するための供給口５１Ｄが設けられている。図９（ｄ）は、人体の手部用の生体圧浴カバー５０Ｅである。この生体圧浴カバー５０Ｅには、その開口部に止着部５２Ｅが設けられると共に、ガスミストを内部に導入するための供給口５１Ｅが設けられている。
【００６４】
さらに図１０は、パッチ状の生体圧浴カバー５０Ｆの例を示している。図１０（ａ）は、そのパッチ状の生体圧浴カバー５０Ｆの概略を示す図、図１０（ｂ）はそのパッチ状の生体圧浴カバー５０Ｆの概略を示す図、図１０（ｂ）はそのパッチ状の生体圧浴カバー５０Ｆを生体（ここでは人体下肢）に装着した際の外観を示す図である。生体圧浴カバー５０Ｆは、生体の皮膚及び粘膜を覆うカバー部５４Ｆと、そのカバー部５４Ｆの周縁に設けられて生体の皮膚及び粘膜へ直接貼着される止着部５２Ｆと、カバー部５４Ｆを生体に固定するためのベルトや紐等からなる固定部５３Ｆと、カバー部５４Ｆと止着部５２Ｆが形成する空間内にガスミストを供給するための供給口５１Ｆとから構成されている。
【００６５】
生体圧浴カバー５０は、図８乃至図１０に示したこれらの例の他にも様々な形状が考えられる。特に、本発明は人体だけでなく動物等生体全般に適用することが可能なため、生体圧浴カバー５０も使用対象と使用部位に合わせた形状を採用する。要は生体の皮膚及び粘膜を覆い、ガスミストを内部に封入する空間を形成できる形状であればどのような形状であっても良い。なお、ここでは図示を省略したが、生体圧浴カバー５０内のガスミストの排出や圧力調整を行うための排気口が設けられるのが好適である。
【００６６】
なお、ガスミスト圧浴においては生体圧浴カバー５０によって所定の圧力値以上で生体の皮膚及び粘膜にガスミストを接触させるが、このような加圧は所定のインターバルでパルス状に行うことにより効果が高まる。そのため、制御装置６０はガスミストを一定のリズムで間歇的に生体圧浴カバー５０内に供給するようにしても良い。その際のインターバル加圧の間隔は、脈の拍動に同期させると効果が高くなる。
【００６７】
〔第２の実施形態〕
図１１は、本発明の第２の実施形態に係るガスミスト圧浴システムの全体概略図である。本実施形態では、生体圧浴カバー内の加圧を容易にする加圧手段をさらに備えたガスミスト圧浴システムについて説明する。なお、図１に示す第１の実施形態と同一の部分については、同一の符号を付して詳細な説明は省略する。
【００６８】
図１１に示すように、本実施形態のガスミスト圧浴システムでは、ガスミストを内部に封入する空間を形成する生体圧浴カバー８０と、この生体圧浴カバー８０と連設され、生体圧浴カバー８０内を加圧する加圧手段９０とを備えている。
【００６９】
生体圧浴カバー８０は、第１の実施形態で示した生体圧浴カバー５０とほぼ同じ構造であり、ガスミストの供給口８１と止着部８２を備えている。ただし、供給口８１は本実施形態では加圧手段９０と接続されている。なお、ここでは例として、人体の手部を覆う形状の生体圧浴カバー８０を図示している。
【００７０】
加圧手段９０は、生体圧浴カバー８０内を加圧するため、生体圧浴カバー８０と連設される中空のガス溜部９１を備えている。このガス溜部９１は、耐圧性、非通気性、非透湿性を有する柔軟な素材から構成される。また、加圧手段９０は、生体圧浴カバー８０の供給口８１と接続されると共に、自身も供給口９２を備えており、ここからガス溜部９１内部にガスミストが供給される。なお、加圧手段９０の供給口９２にも内部にガスミストの逆流を防止するための逆止弁が設けられている。
【００７１】
加圧手段９０により生体圧浴カバー８０を加圧する際には、生体圧浴カバー８０内に適度なガスミストが溜まっている状態で、ガス溜部９１にガスミストを溜める。そして、図１１の矢印に示すようにガス溜部９１を押し潰すように加圧すると、ガス溜部９１内のガスミストが生体圧浴カバー８０内に排出されるため、生体圧浴カバー８０内を加圧することができる。
【００７２】
なお、加圧手段９０は、手動で押圧する構成としても良いし、駆動装置等を用いて制御装置６０の制御で機械的に行っても良い。また前述の通り、ガスミスト圧浴における加圧は、所定のインターバルでパルス状に行うことにより効果が高まるため、加圧手段９０を一定のリズムで間歇的に押圧するのが効果的である。
【００７３】
そこで、本実施形態のガスミスト圧浴システムを用いてガスミスト圧浴を行う際には、まず生体圧浴カバー８０を生体（ここでは人体の手部）に固定して密閉する。次に、ガスミスト生成器３０の液体貯留部３２に、液体供給手段２０から所定量の液体を注入し、次いで、ガス供給手段１０からガスミスト生成器３０のノズル３４とガス供給部３９にガスを供給し、ガスミストを生成する。この間、制御装置６０は、液体及びガスの供給圧や量、温度等の調整を行う。
【００７４】
生成されたガスミストは、ガスミスト供給管４５から加圧手段９０及び生体圧浴カバー８０に排出される。このとき、生体圧浴カバー８０内にはガスが約９５−９７％、液体が約３−５％の割合で存在するようにするのが好適である。ミスト中には約４０ｐｐｍの濃度でガスが溶解し、その気泡サイズが約２３２ｐｍ程度となるのが好ましい。制御装置６０は圧力計７１、温度計７２の計測値から、生体圧浴カバー８０内が最適な加温状態（例えば約３８℃）に保たれるように各手段を調整する。そして、生体圧浴カバー８０と加圧手段９０に最適な量のガスミストが溜まったところで、加圧手段９０を押圧して生体圧浴カバー８０を適度に加圧し（約１．０２〜２．５気圧）、ガスミスト圧浴を行う。
【００７５】
第１の実施形態でも述べた通り、生体の種々の部位に適用するため、生体圧浴カバー８０は様々な形状のものを用いることができる。ただし、本実施形態の場合、生体圧浴カバー８０は加圧手段９０で容易に加圧可能な大きさである必要がある。例えば加圧手段９０を手動で押圧する場合、加圧手段９０の大きさは人が両手で掴める程度である必要があり、そのような加圧手段９０で加圧できる生体圧浴カバー８０の大きさも、ある程度限定される。また、駆動装置等で加圧する場合あっても、加圧手段９０もこれを押圧する押圧手段も現実的にはあまり場所を取らないコンパクトなものが望ましいため、本実施形態の場合比較的コンパクトな（生体の局所的部位を覆う）生体圧浴カバー８０への適用が向いている。
【００７６】
図１２及び図１３に、本実施形態の適用が向く生体圧浴カバー８０とこれに接続される加圧手段９０の形状の例を示す。図１２（ａ）は、人体の片下肢（膝下部）用の生体圧浴カバー８０Ａである。この生体圧浴カバー８０Ａには、ガスミストを内部に導入するための供給口８１Ａが設けられると共に、その開口部に止着部８２Ａが設けられている。供給口８１Ａには加圧手段９０Ａが接続されている。加圧手段９０Ａは、ガス溜部９１Ａと供給口９２Ａを備えている。図１２（ｂ）は、人体の足部用の生体圧浴カバー８０Ｂである。この生体圧浴カバー８０Ｂには、ガスミストを内部に導入するための供給口８１Ｂが設けられると共に、その開口部に止着部８２Ｂが設けられている。供給口８１Ｂには加圧手段９０Ｂが接続されている。加圧手段９０Ｂは、ガス溜部９１Ｂと供給口９２Ｂを備えている。図１２（ｃ）は、人体の前腕用の生体圧浴カバー８０Ｃである。この生体圧浴カバー８０Ｃには、ガスミストを内部に導入するための供給口８１Ｃが設けられると共に、その開口部に止着部８２Ｃが設けられている。供給口８１Ｃには加圧手段９０Ｃが接続されている。加圧手段９０Ｃは、ガス溜部９１Ｃと供給口９２Ｃを備えている。
【００７７】
図１３は、パッチ状の生体圧浴カバー８０Ｄの例を示している。図１３（ａ）はそのパッチ状の生体圧浴カバー８０Ｄの概略を示す図、図１３（ｂ）はそのパッチ状の生体圧浴カバー８０Ｄを生体（ここでは人体下肢）に装着した際の外観を示す図である。生体圧浴カバー８０Ｄは、生体の皮膚及び粘膜を覆うカバー部８４Ｄと、そのカバー部８４Ｄの周縁に設けられて生体の皮膚及び粘膜へ直接貼着される止着部８２Ｄと、カバー部８４Ｄを生体に固定するためのベルトや紐等からなる固定部８３Ｄと、カバー部８４Ｄと止着部８２Ｄが形成する空間内にガスミストを供給するための供給口８１Ｄとから構成されている。供給口８１Ｄには加圧手段９０Ｄが接続されている。加圧手段９０Ｄは、ガス溜部９１Ｄと供給口９２Ｄを備えている。
【００７８】
なお、ここでは図示を省略したが、生体圧浴カバー８０内のガスミストの排出や圧力調整を行うための排気口が設けられるのが好適である。
【００７９】
また、上記実施形態では、加圧手段９０を生体圧浴カバー８０に連設される中空のガス溜部９１から構成したが、この他生体圧浴カバー８０自体を外周から押し潰すように圧迫する部材等、生体圧浴カバー８０を簡便に加圧できるものであればどのようなものを用いても良い。
【００８０】
〔第３の実施形態〕
図１４は、本発明の第３の実施形態に係るガスミスト圧浴システムの全体概略図である。本実施形態では、発生させたミストを帯電させるための電荷付与手段をさらに備えたガスミスト圧浴システムについて説明する。なお、図１に示す第１の実施形態と同一の部分については、同一の符号を付して詳細な説明は省略する。
【００８１】
図１４に示すように、本実施形態のガスミスト圧浴システムでは、ガスミスト生成器３０のガスミスト導出部４４の出口近傍に、電極１０２が配置されている。電極１０２は電源装置１０１に接続されており、制御装置６０により電圧値の設定、及びオン・オフの制御が行われる。
【００８２】
電極１０２は、ガスミスト生成器３０が生成したミストが排出される際に、電荷（マイナスの電荷が望ましい）を付与する。それによりミストを帯電状態とし、荷電した物体への付着性を高めることができる。即ち、生体の皮膚及び粘膜への付着性を向上させれば、ガスミスト圧浴によるガスの吸収率向上の効果をさらに高め、ガスミストに上述したような薬剤が含まれる場合は、同様に皮膚及び粘膜への浸透をより促進させることが可能となる。
【００８３】
そこで、本実施形態のガスミスト圧浴システムを用いてガスミスト圧浴を行う際には、まず生体圧浴カバー５０を生体（ここでは人体の下肢）に固定して密閉する。次に、ガスミスト生成器３０の液体貯留部３２に、液体供給手段２０から所定量の液体を注入し、次いで、ガス供給手段１０からガスミスト生成器３０のノズル３４とガス供給部３９にガスを供給し、ガスミストを生成する。この間、制御装置６０は、液体及びガスの供給圧や量、温度等の調整を行う。また、制御装置６０は、電源装置１０１をオンにし、電極１０２からミストに電荷を付与する。
【００８４】
生成されたガスミストは、ガスミスト供給管４５から生体圧浴カバー５０に排出される。このとき、生体圧浴カバー５０内にはガスが約９５−９７％、液体が約３−５％の割合で存在するようにするのが好適である。ミスト中には約４０ｐｐｍの濃度でガスが溶解し、その気泡サイズが約２３２ｐｍ程度となるのが好ましい。制御装置６０は圧力計７１、温度計７２の計測値から、生体圧浴カバー５０内が最適な加圧、加温状態（約１．０２〜２．５気圧、約３８℃）に保たれるように各手段を調整し、この状態でガスミスト圧浴が行われる。
【００８５】
〔第４の実施形態〕
図１５は、本発明の第４の実施形態に係るガスミスト圧浴システムの全体概略図である。本実施形態では、液体供給手段からの液体を加圧してガスミスト生成器に送る液体加圧手段をさらに備えたガスミスト圧浴システムについて説明する。なお、図１に示す第１の実施形態と同一の部分については、同一の符号を付して詳細な説明は省略する。
【００８６】
図１５に示すように、本実施形態のガスミスト圧浴システムでは、液体を加圧してガスミスト生成器３０に送るための液体加圧手段１１０が配置されている。この液体加圧手段１１０は、ポンプ等から構成され、液体供給手段２０から供給された液体を加圧してガスミスト生成器３０の液体貯留部３２に供給する。このように液体を加圧することにより、ガスミスト生成器３０によるガスミストの加圧供給を容易にする。この液体加圧手段１１０の供給圧調整は制御装置６０により行われる。
【００８７】
そこで、本実施形態のガスミスト圧浴システムを用いてガスミスト圧浴を行う際には、まず生体圧浴カバー５０を生体（ここでは人体の下肢）に固定して密閉する。次に、ガスミスト生成器３０の液体貯留部３２に、液体供給手段２０から液体加圧手段１１０を介して所定量の液体を注入しておく。次いで、ガス供給手段１０からガスミスト生成器のノズル３４とガス供給部３９にガスを供給しながら、液体加圧手段１１０から液体貯留部３２にガスを加圧供給してガスミストを生成する。この間、制御装置６０は、液体及びガスの供給圧や量、温度等の調整を行う。
【００８８】
生成されたガスミストは、ガスミスト供給管４５から生体圧浴カバー５０に排出される。このとき、生体圧浴カバー５０内にはガスが約９５−９７％、液体が約３−５％の割合で存在するようにするのが好適である。ミスト中には約４０ｐｐｍの濃度でガスが溶解し、その気泡サイズが約２３２ｐｍ程度となるのが好ましい。制御装置６０は圧力計７１、温度計７２の計測値から、生体圧浴カバー５０内が最適な加圧、加温状態（約１．０２〜２．５気圧、約３８℃）に保たれるように各手段を調整し、この状態でガスミスト圧浴が行われる。
【００８９】
上記のように構成したため、本発明のガスミスト圧浴システムによれば、制御装置により生体圧浴カバー内のガスミストの量、圧力等を制御可能なため、常に最適な状態でガスミスト圧浴を行うことができる。
【００９０】
また、非常に簡単な構成でガスミストを生成することが可能なため、装置の低コスト化を実現できる。
【００９１】
さらに、生体圧浴カバー内の加圧が容易で、ガスの経皮吸収をより効率的に行うことが可能となる。
【００９２】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００９３】
本発明は、ガスと液体を粉砕溶解させたガスミストを、所定の圧力値以上で生体の皮膚又は粘膜に直接接触させることにより、皮膚又は粘膜からのガスの吸収効率を向上させるガスミスト圧浴システムに関し、産業上の利用可能性を有する。
【符号の説明】
【００９４】
１０    ガス供給手段
２０    液体供給手段
３０    ガスミスト生成器
３１    生成器本体
３２    液体貯留部
３２Ａ  遮蔽板
３３    液体供給口
３４    ノズル
３４Ａ  ノズル先端開口
３５    吸液管形成部材
３５Ａ  吸液管
３５Ｂ  吸液管先端部
３６    バッフル
３８    中間部材
３９    ガス供給部
４１    ガス導入部
４２    ガスミスト収集部
４３    蓋部材
４４    ガスミスト導出部
４５    ガスミスト供給管
４５Ａ  ジャバラ状の管
５０、５０Ａ、５０Ｂ、５０Ｃ、５０Ｄ、５０Ｅ、５０Ｆ  生体圧浴カバー
５１、５１Ａ、５１Ｂ、５１Ｃ、５１Ｄ、５１Ｅ、５１Ｆ  ガスミスト供給口
５２、５２Ａ、５２Ｂ、５２Ｃ、５２Ｄ、５２Ｅ、５２Ｆ、５３Ａ  止着部
５３Ｆ  固定部
５４Ｆ  カバー部
６０    制御装置
７１    圧力計
７２    温度計
８０、８０Ａ、８０Ｂ、８０Ｃ、８０Ｄ  生体圧浴カバー
８１、８１Ａ、８１Ｂ、８１Ｃ、８１Ｄ  ガスミスト供給口
８２、８２Ａ、８２Ｂ、８２Ｃ、８２Ｄ  止着部
８３Ｄ  固定部
８４Ｄ  カバー部
９０、９０Ａ、９０Ｂ、９０Ｃ、９０Ｄ  加圧手段
９１、９１Ａ、９１Ｂ、９１Ｃ、９１Ｄ  ガス溜部
９２、９２Ａ、９２Ｂ、９２Ｃ、９２Ｄ  ガスミスト供給口
１０１  電源装置
１０２  電極
１１０  液体加圧手段
【図１】
2012002461.tif 000003
【図２】
2012002461.tif 000004
【図３】
2012002461.tif 000005
【図４】
2012002461.tif 000006
【図５】
2012002461.tif 000007
【図６】
2012002461.tif 000008
【図７】
2012002461.tif 000009
【図８】
2012002461.tif 000010
【図９】
2012002461.tif 000011
【図１０】
2012002461.tif 000012
【図１１】
2012002461.tif 000013
【図１２】
2012002461.tif 000014
【図１３】
2012002461.tif 000015
【図１４】
2012002461.tif 000016
【図１５】
2012002461.tif 000017
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
所定値以上の濃度の炭酸ガス、酸素又は炭酸ガスと酸素の混合ガス（以下、「ガス」という）と液体を粉砕溶解させたミスト（以下、「ガスミスト」という）を生体の皮膚又は粘膜に接触させるためのシステムであって、
ガス供給手段と、
該ガス供給手段と接続されると共に、液体を貯留する液体貯留部と、前記ガスを加圧供給するノズルと、該ノズル先端に前記液体を送液する吸液管と、を有し、ガスミストを生成するガスミスト生成手段と、
前記生体の皮膚及び粘膜を覆い、前記ガスミスト生成手段から供給されたガスミストを内部に封入する空間を形成する生体カバー手段と、を備え、
前記ガスミスト生成手段は、前記ノズルとは別途に前記ガスミスト生成手段内にガスを供給するガス導入手段を備え、前記生体カバー手段へのガスミストの供給圧を上昇させることを特徴とするガスミスト圧浴システム。
【請求項２】
前記生体カバー手段には、当該生体カバー手段内の前記ガスミストの圧力を加圧するための加圧手段が接続されることを特徴とする請求項１に記載のガスミスト圧浴システム。
【請求項３】
前記加圧手段が、前記生体カバー手段と連設され、該生体カバー手段内にガスミストを排出可能な中空のガス溜を有することを特徴とする請求項２に記載のガスミスト圧浴システム。
【請求項４】
前記加圧手段が、前記生体カバー手段内に間歇的にガスミストを排出することによって、該生体カバー手段をインターバル加圧することを特徴とする請求項３に記載のガスミスト圧浴システム。
【請求項５】
前記ガス、液体、及びガスミストの供給状態を計測するセンサと、
該センサの計測値に基づき前記ガス、液体、及びガスミストの供給制御を行う制御手段と、をさらに備えたことを特徴とする請求項１に記載のガスミスト圧浴システム。
【請求項６】
前記制御手段により、前記ガスミストを間歇的に前記生体カバー手段内に供給することによって、該生体カバー手段をインターバル加圧することを特徴とする請求項５に記載のガスミスト圧浴システム。
【請求項７】
前記制御手段は、前記生体カバー手段内の圧力値が所定値以上になった際は前記ガス供給手段からのガスの供給を停止することを特徴とする請求項５に記載のガスミスト圧浴システム。
【請求項８】
前記制御手段は、ガスミスト圧浴時における前記生体カバー手段内の圧力を１．０２乃至２．５気圧に保持することを特徴とする請求項５に記載のガスミスト圧浴システム。
【請求項９】
前記液体貯留部に液体を供給する液体供給手段をさらに備えることを特徴とする請求項１に記載のガスミスト圧浴システム。
【請求項１０】
前記液体供給手段からの液体を加圧して前記ガスミスト生成手段に供給する液体加圧手段をさらに備えることを特徴とする請求項９に記載のガスミスト圧浴システム。
【請求項１１】
前記液体は、水、イオン水、オゾン水、生理食塩水、精製水、又は滅菌精製水の何れか一つ又は複数の組み合わせであることを特徴とする請求項１又は９に記載のガスミスト圧浴システム。
【請求項１２】
前記液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウム、高濃度炭酸泉剤、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、又は育毛剤のうち、何れか一つ又は複数をさらに含有することを特徴とする請求項１１に記載のガスミスト圧浴システム。
【請求項１３】
前記ガスミスト生成手段から前記生体カバー手段内に供給される前記ミストの粒径が、１０μｍ以下であることを特徴とする請求項１に記載のガスミスト圧浴システム。
【請求項１４】
前記ガスミスト生成手段が供給するミストに電荷を付与する電荷付与手段をさらに備えることを特徴とする請求項１に記載のガスミスト圧浴システム。
【請求項１５】
前記電荷が、マイナス電荷であることを特徴とする請求項１４に記載のガスミスト圧浴システム。
【請求項１６】
前記ガスミスト生成手段が、前記生体カバー手段へガスミストを供給するためのガスミスト供給管を有し、
該ガスミスト供給管が、管内に付着する液滴を除去するためのフィルターを備えることを特徴とする請求項１に記載のガスミスト圧浴システム。
【請求項１７】
前記ガスミスト生成手段が、前記生体カバー手段へガスミストを供給するためのガスミスト供給管を有し、
該ガスミスト供給管の全部又は一部がジャバラ状の管から構成されることを特徴とする請求項１に記載のガスミスト圧浴システム。
【請求項１８】
前記ガスミスト生成手段が、前記生体カバー手段へガスミストを供給するためのガスミスト供給管を有し、
該ガスミスト供給管に、逆止弁を設けることを特徴とする請求項１に記載のガスミスト圧浴システム。
【請求項１９】
前記生体カバー手段のガスミスト供給口に、逆止弁を設けることを特徴とする請求項１に記載のガスミスト圧浴システム。
【請求項２０】
前記ガスミスト生成手段が、予め滅菌処理されていることを特徴とする請求項１に記載のガスミスト圧浴システム。
【手続補正２】
【補正対象書類名】明細書
【補正対象項目名】００１５
【補正方法】変更
【補正の内容】
【００１５】
本発明は、上記課題を解決するために、所定値以上の濃度の炭酸ガス、酸素又は炭酸ガスと酸素の混合ガス（以下、「ガス」という）と液体を粉砕溶解させたミスト（以下、「ガスミスト」という）を生体の皮膚又は粘膜に接触させるためのシステムであって、ガス供給手段と、該ガス供給手段と接続されると共に、液体を貯留する液体貯留部と、前記ガスを加圧供給するノズルと、該ノズル先端に前記液体を送液する吸液管と、を有し、ガスミストを生成するガスミスト生成手段と、前記生体の皮膚及び粘膜を覆い、前記ガスミスト生成手段から供給されたガスミストを内部に封入する空間を形成する生体カバー手段と、を備え、前記ガスミスト生成手段は、前記ノズルとは別途に前記ガスミスト生成手段内にガスを供給するガス導入手段を備え、前記生体カバー手段へのガスミストの供給圧を上昇させることを特徴とするガスミスト圧浴システムを提供するものである。
【手続補正３】
【補正対象書類名】明細書
【補正対象項目名】００１８
【補正方法】変更
【補正の内容】
【００１８】
前記ガス、液体、及びガスミストの供給状態を計測するセンサと、該センサの計測値に基づき前記ガス、液体、及びガスミストの供給制御を行う制御手段と、をさらに備えて、前記制御手段により、前記ガスミストを間歇的に前記生体カバー手段内に供給することによって、その生体カバー手段をインターバル加圧するようにしても良い。あるいは、前記加圧手段が、前記生体カバー手段内に間歇的にガスミストを排出することによって、その生体カバー手段をインターバル加圧するようにしても良い。
【国際調査報告】
2012002461.tif 000018
2012002461.tif 000019